【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
陽極と、有機化合物膜と、陰極とを有し、
前記有機化合物膜は、正孔輸送層と、前記正孔輸送層に接して設けられた電子輸送層とを有し、
前記正孔輸送層は正孔輸送材料を有し、
前記電子輸送層は、電子輸送材料及び三重項励起状態からの発光を呈する発光材料を有し、
前記発光材料は、赤色の発光材料であり、
前記正孔輸送材料における最高被占分子軌道準位と最低空分子軌道準位とのエネルギー差が、前記電子輸送材料における最高被占分子軌道準位と最低空分子軌道準位とのエネルギー差よりも大きいことを特徴とする発光素子。
【請求項２】
請求項１に記載の発光素子において、
金薄膜、白金薄膜または酸化アルミニウム薄膜を有する正孔注入層をさらに有し、
前記正孔注入層は、前記陽極と前記正孔輸送層との間に設けられていることを特徴とする発光素子。
【請求項３】
請求項１に記載の発光素子において、
アルカリ金属ハロゲン化物またはアルカリ金属酸化物の薄膜を有する電子注入層をさらに有し、
前記電子注入層は、前記陰極と前記電子輸送層との間に設けられていることを特徴とする発光素子。
【請求項４】
請求項１に記載の発光素子において、
フッ化リチウムまたは酸化リチウムの薄膜を有する電子注入層をさらに有し、
前記電子注入層は、前記陰極と前記電子輸送層との間に設けられていることを特徴とする発光素子。
【請求項５】
請求項１に記載の発光素子において、
アルカリ金属錯体を有する電子注入層をさらに有し、
前記電子注入層は、前記陰極と前記電子輸送層との間に設けられていることを特徴とする発光素子。
【請求項６】
請求項１に記載の発光素子において、
リチウムアセチルアセトネートまたは８−キノリノラト−リチウムを有する電子注入層をさらに有し、
前記電子注入層は、前記陰極と前記電子輸送層との間に設けられていることを特徴とする発光素子。
【請求項７】
陽極と、有機化合物膜と、陰極とを有し、
前記有機化合物膜は、前記陽極に接して設けられた正孔注入層と、正孔輸送層と、前記正孔輸送層に接して設けられた電子輸送層とを有し、
前記正孔輸送層は正孔輸送材料を有し、
前記電子輸送層は、電子輸送材料及び三重項励起状態からの発光を呈する発光材料を有し、
前記発光材料は、赤色の発光材料であり、
前記正孔輸送材料における最高被占分子軌道準位と最低空分子軌道準位とのエネルギー差が、前記電子輸送材料における最高被占分子軌道準位と最低空分子軌道準位とのエネルギー差よりも大きいことを特徴とする発光素子。
【請求項８】
陽極と、有機化合物膜と、陰極とを有し、
前記有機化合物膜は、正孔輸送層と、前記正孔輸送層に接して設けられた電子輸送層と、前記陰極に接して設けられた電子注入層とを有し、
前記正孔輸送層は正孔輸送材料を有し、
前記電子輸送層は、電子輸送材料及び三重項励起状態からの発光を呈する発光材料を有し、
前記発光材料は、赤色の発光材料であり、
前記正孔輸送材料における最高被占分子軌道準位と最低空分子軌道準位とのエネルギー差が、前記電子輸送材料における最高被占分子軌道準位と最低空分子軌道準位とのエネルギー差よりも大きいことを特徴とする発光素子。
【請求項９】
陽極と、有機化合物膜と、陰極とを有し、
前記有機化合物膜は、前記陽極に接して設けられた正孔注入層と、正孔輸送層と、前記正孔輸送層に接して設けられた電子輸送層と、前記陰極に接して設けられた電子注入層とを有し、
前記正孔輸送層は正孔輸送材料を有し、
前記電子輸送層は、電子輸送材料及び三重項励起状態からの発光を呈する発光材料を有し、
前記発光材料は、赤色の発光材料であり、
前記正孔輸送材料における最高被占分子軌道準位と最低空分子軌道準位とのエネルギー差が、前記電子輸送材料における最高被占分子軌道準位と最低空分子軌道準位とのエネルギー差よりも大きいことを特徴とする発光素子。
【請求項１０】
請求項１乃至請求項９のいずれか一項に記載の発光素子において、
前記正孔輸送材料の吸収スペクトルと前記電子輸送材料の発光スペクトルが重ならないことを特徴とする発光素子。
【請求項１１】
請求項１０に記載の発光素子において、
前記正孔輸送材料の吸収スペクトルが前記電子輸送材料の発光スペクトルよりも短波長側に位置することを特徴とする発光素子。
【請求項１２】
請求項１乃至請求項１１のいずれか一項に記載の発光素子において、
前記発光材料の最高被占分子軌道準位及び最低空分子軌道準位が共に、前記電子輸送材料における最高被占分子軌道準位と最低空分子軌道準位とのエネルギーギャップ内に位置することを特徴とする発光素子。
【請求項１３】
請求項１乃至請求項１１のいずれか一項に記載の発光素子において、
前記正孔輸送材料のイオン化ポテンシャルの値が、前記発光材料のイオン化ポテンシャルの値と比べて同じかまたは大きいことを特徴とする発光素子。
【請求項１４】
請求項１乃至請求項１１のいずれか一項に記載の発光素子において、
前記正孔輸送材料の最低空分子軌道準位を示す値の絶対値が、電子輸送材料の最低空分子軌道準位を示す値の絶対値よりも０．２ｅＶ以上小さいことを特徴とする発光素子。
【請求項１５】
請求項１乃至請求項１１のいずれか一項に記載の発光素子において、
前記正孔輸送材料のイオン化ポテンシャルの値が前記発光材料のイオン化ポテンシャルの値と比べて同じかまたは大きく、かつ、前記正孔輸送材料の最低空分子軌道準位を示す値の絶対値が電子輸送材料の最低空分子軌道準位を示す値の絶対値よりも０．２ｅＶ以上小さいことを特徴とする発光素子。
【請求項１６】
請求項１乃至請求項１５のいずれか一項に記載の発光素子において、
前記正孔輸送材料は、４，４’，４”−トリス（Ｎ−カルバゾール）トリフェニルアミン、４，４’−ビス［Ｎ，Ｎ−ビス（３−メチルフェニル）−アミノ］−ジフェニルメタン、１，３，５−トリス［Ｎ，Ｎ−ビス（２−メチルフェニル）−アミノ］−ベンゼン、１，３，５−トリス［Ｎ，Ｎ−ビス（３−メチルフェニル）−アミノ］−ベンゼン、１，３，５−トリス［Ｎ，Ｎ−ビス（４−メチルフェニル）−アミノ］−ベンゼンのいずれかであることを特徴とする発光素子。
【請求項１７】
請求項１乃至請求項１６のいずれか一項に記載の発光素子において、
前記電子輸送材料は、２，２’，２”−（１，３，５−ベンゼントリル）トリス−［１−フェニル−１Ｈ−ベンゾイミダゾ−ル］、リチウムテトラ（２−（２−ヒドロキシフェニル）ベンゾオキサゾラトボロン、ビス（２−（２−ヒドロキシフェニル）ベンゾオキサゾラト）（トリフェニルシラノラト）アルミニウム、ビス（２−（２−ヒドロキシフェニル）ベンゾチアゾラト）（トリフェニルシラノラト）アルミニウム、２−（２−ヒドロキシフェニル）ベンゾオキサゾラトリチウム、（２−（２−ヒドロキシフェニル）ベンゾオキサゾラト）−ジフェニルボロン、トリス（８−キノリノラト）−アルミニウム、ビス（２−メチル−８−キノリノラト）（トリフェニルシラノラト）アルミニウム、ビス（２−メチル−８−キノリノラト）（４−フェニルフェノラト）アルミニウム、リチウムテトラ（２−メチル−８−ヒドロキシ−キノリナト）ボロン、（２−メチル−８−キノリノラト）−ジフェニルボロン、ビス（２−メチル−８−キノリノラト）アルミニウムヒドロキシドのいずれかであることを特徴とする発光素子。
【手続補正２】
【補正対象書類名】明細書
【補正対象項目名】００２６
【補正方法】変更
【補正の内容】
【００２６】
正孔ブロッキング層を使用しない三層型構造の素子も作製されている（非特許文献９参照）。ここではホスト材料として、両キャリヤ輸送性であると言われているＣＢＰの代わりに、電子輸送材料を用いることを特徴としている。しかしホスト材料に使用された電子輸送材料は、正孔ブロッキング材料として使用されるＢＣＰ、１，３−ビス（Ｎ，Ｎ−ｔ−ブチル−フェニル）−１，３，４−オキサゾール（以下「ＯＸＤ７」と記す）、３−フェニル−４−（１’−ナフチル）−５−フェニル−１，２，４−トリアゾール（以下「ＴＡＺ」と記す）であり、正孔ブロッキング層は導入しないものの、結局は正孔ブロッキング材料としてよく用いられるものを素子内に使用している。ＢＣＰはもちろんその他のどの材料も安定性の低い材料であり、高い効率は出るものの、安定性の低い素子となっている。
【手続補正３】
【補正対象書類名】明細書
【補正対象項目名】００４４
【補正方法】変更
【補正の内容】
【００４４】
また、前記電子輸送材料に２，２’，２”−（１，３，５−ベンゼントリル）トリス−［１−フェニル−１Ｈ−ベンゾイミダゾ−ル］、リチウムテトラ（２−（２−ヒドロキシフェニル）ベンゾオキサゾラトボロン、ビス（２−（２−ヒドロキシフェニル）ベンゾオキサゾラト）（トリフェニルシラノラト）アルミニウム、ビス（２−（２−ヒドロキシフェニル）ベンゾチアゾラト）（トリフェニルシラノラト）アルミニウム、２−（２−ヒドロキシフェニル）ベンゾオキサゾラトリチウム、（２−（２−ヒドロキシフェニル）ベンゾオキサゾラト）−ジフェニルボロン、トリス（８−キノリノラト）−アルミニウム、ビス（２−メチル−８−キノリノラト）（トリフェニルシラノラト）アルミニウム、ビス（２−メチル−８−キノリノラト）（４−フェニルフェノラト）アルミニウム、リチウムテトラ（２−メチル−８−ヒドロキシ−キノリナト）ボロン、（２−メチル−８−キノリノラト）−ジフェニルボロン、ビス（２−メチル−８−キノリノラト）アルミニウムヒドロキシドのいずれかを使用することを特徴とする。
【手続補正４】
【補正対象書類名】明細書
【補正対象項目名】００６８
【補正方法】変更
【補正の内容】
【００６８】
正孔注入材料としては、有機化合物であればポルフィリン系の化合物や、フタロシアニン（以下「Ｈ２Ｐｃ」と記す）、銅フタロシアニン（以下「ＣｕＰｃ」と記す）などが有効である。また、使用する正孔輸送材料よりもイオン化ポテンシャルの値が小さく、かつ、正孔輸送機能をもつ材料であれば、これも正孔注入材料として使用できる。導電性高分子化合物に化学ドーピングを施した材料もあり、ポリスチレンスルホン酸（以下「ＰＳＳ」と記す）をドープしたポリエチレンジオキシチオフェン（以下「ＰＥＤＯＴ」と記す）や、ポリアニリンなどが挙げられる。また、絶縁体の高分子化合物も陽極の平坦化の点で有効であり、ポリイミド（以下「ＰＩ」と記す）がよく用いられる。さらに、無機化合物も用いられ、金や白金などの金属薄膜の他、酸化アルミニウム（以下「アルミナ」と記す）の超薄膜などがある。
【手続補正５】
【補正対象書類名】明細書
【補正対象項目名】００８８
【補正方法】変更
【補正の内容】
【００８８】
本実施例では、本発明の図１に示した有機発光素子を具体的に例示する。
【手続補正６】
【補正対象書類名】明細書
【補正対象項目名】０１００
【補正方法】変更
【補正の内容】
【０１００】
実施例１、２、３とは異なった三重項発光材料をドーパントとして使用し、実施例１、
２、３とは発光色の異なる有機発光素子を作製した。作製方法は実施例１、２、３と同様の方法であり、正孔輸送材料にＢＰＰＭ、ホストである電子輸送材料にＴＰＢＩ、ドーパントはビス［２−（２’，４’−ジフルオロフェニル）ピリジナト］ピコリナトイリジウムを使用している。ドーパント材料に由来する青色発光の三重項発光素子を得ることができる。
【手続補正７】
【補正対象書類名】明細書
【補正対象項目名】発明の名称
【補正方法】変更
【補正の内容】
【発明の名称】発光素子